(57)【要約】【課題】環状の上段バーナ部５と、上段バーナ部５の下方に配置される、上段バーナ部５と同心の環状の下段バーナ部６とを備えるコンロ用バーナであって、上段バーナ部５と下段バーナ部６は、夫々、内周部に径方向内方に向けて開口する炎口５１，６１を周方向の間隔を存して複数有する内炎式バーナで構成されるものにおいて、下段バーナ部６の炎口６１への煮こぼれ汁の付着を防止できるようにする。【解決手段】上段バーナ部５の底壁部５２の内径Ｄ１を、下段バーナ部６の炎口６１が開口する内周部の径Ｄ２以下にする。好ましくは、上段バーナ部５の底壁部５２の内周縁に下方にのびる庇部５２ａを設ける。【選択図】図２
2020094714.tif 000002
【特許請求の範囲】
【請求項１】
環状の上段バーナ部と、上段バーナ部の下方に配置される、上段バーナ部と同心の環状の下段バーナ部とを備えるコンロ用バーナであって、
上段バーナ部と下段バーナ部は、夫々、内周部に径方向内方に向けて開口する炎口を周方向の間隔を存して複数有する内炎式バーナで構成されるものにおいて、
上段バーナ部の底壁部の内径は、下段バーナ部の炎口が開口する内周部の径以下であることを特徴とするコンロ用バーナ。
【請求項２】
前記上段バーナ部の前記底壁部の内周縁に下方にのびる庇部が設けられることを特徴とする請求項１記載のコンロ用バーナ。
【請求項３】
前記下段バーナ部の前記炎口は、径方向内方に向けて下方に傾斜していることを特徴とする請求項１又は２記載のコンロ用バーナ。
【請求項４】
前記上段バーナ部は、前記底壁部に着脱自在に載置されるバーナヘッドを有し、底壁部とバーナヘッドとの間に上段バーナ部の前記炎口が画成されることを特徴とする請求項１〜３の何れか１項記載のコンロ用バーナ。
【請求項５】
請求項１〜４の何れか１項記載のコンロ用バーナを備えることを特徴とするガスコンロ。
【発明の詳細な説明】
【技術分野】
【０００１】
本発明は、環状の上段バーナ部と、上段バーナ部の下方に配置される、上段バーナ部と同心の環状の下段バーナ部とを備えるコンロ用バーナ並びにこのコンロ用バーナを備えるガスコンロに関する。
【背景技術】
【０００２】
従来、この種のコンロ用バーナとして、上段バーナ部と下段バーナ部を、夫々、内周部に径方向内方に向けて開口する炎口を周方向の間隔を存して複数有する内炎式バーナで構成したものが知られている（例えば、特許文献１参照）。そして、このものでは、下段バーナ部の炎口が開口する内周部の径を上段バーナ部の底壁部の内径よりも小さくしている。
【０００３】
ところで、コンロ用バーナで加熱する調理容器からの煮こぼれを生ずると、調理容器の底面を伝って煮こぼれ汁が滴下する。そして、上記従来例のコンロ用バーナでは、調理容器の底面を伝って滴下した煮こぼれ汁が下段バーナ部の炎口に付着しやすい。そして、下段バーナ部は手が届きにくく清掃しづらいため、下段バーナの炎口に煮こぼれ汁が付着堆積して、炎口の目詰まりを生ずる恐れがある。
【先行技術文献】
【特許文献】
【０００４】
【特許文献１】実開平２−１３３５１５号公報
【発明の概要】
【発明が解決しようとする課題】
【０００５】
本発明は、以上の点に鑑み、内炎式バーナで構成される上下２段のバーナ部を備えるコンロ用バーナであって、下段バーナ部の炎口への煮こぼれ汁の付着を防止できるようにしたものを提供することをその課題としている。
【課題を解決するための手段】
【０００６】
上記課題を解決するために、本発明は、環状の上段バーナ部と、上段バーナ部の下方に配置される、上段バーナ部と同心の環状の下段バーナ部とを備えるコンロ用バーナであって、上段バーナ部と下段バーナ部は、夫々、内周部に径方向内方に向けて開口する炎口を周方向の間隔を存して複数有する内炎式バーナで構成されるものにおいて、上段バーナ部の底壁部の内径は、下段バーナ部の炎口が開口する内周部の径以下であることを特徴とする。また、本発明のガスコンロは、上記本発明のコンロ用バーナを備えることを特徴とする。
【０００７】
本発明のコンロ用バーナによれば、下段バーナ部の炎口が開口する内周部は、上方から見て上段バーナ部の底壁部の下に隠れるため、調理容器の底面を伝って滴下する煮こぼれ汁が下段バーナ部の炎口に付着することを防止できる。
【０００８】
また、本発明においては、上段バーナ部の底壁部の内周縁に下方にのびる庇部が設けられることが望ましい。これによれば、上段バーナ部の底壁部に落下した煮こぼれ汁が底壁部の下面に回り込むことを庇部で防止できる。従って、煮こぼれ汁が上段バーナ部の底壁部の下面に回り込んで下段バーナ部の炎口に落下付着することを防止できる。
【０００９】
更に、本発明において、下段バーナ部の炎口は、径方向内方に向けて下方に傾斜していることが望ましい。これによれば、下段バーナ部の炎口に仮に煮こぼれ汁が落下しても、炎口の内部に煮こぼれ汁は浸入せず、炎口が目詰まりしにくくなる。
【００１０】
また、本発明において、上段バーナ部は、底壁部に着脱自在に載置されるバーナヘッドを有し、底壁部とバーナヘッドとの間に炎口が画成されることが望ましい。これによれば、上段バーナ部の炎口に煮こぼれ汁が付着しても、バーナヘッドを取外すことで炎口に付着した煮こぼれ汁を容易に除去できる。
【図面の簡単な説明】
【００１１】
【図１】本発明の実施形態のコンロ用バーナを備えるガスコンロの要部の斜視図。
【図２】図１のＩＩ−ＩＩ線で切断した断面図。
【図３】図２のＩＩＩ−ＩＩＩ線で切断した切断平面図。
【図４】図２のＩＶ−ＩＶ線で切断した切断平面図。
【発明を実施するための形態】
【００１２】
図１、図２を参照して、１は、ガスコンロのコンロ本体、２は、コンロ本体１の上面を覆う天板である。ガスコンロには、天板２に開設したバーナ用開口２１に臨ませて、天板２上の五徳３に載せる鍋等の調理容器を加熱するコンロ用バーナ４が設けられている。五徳３は、環状の五徳枠３１と、五徳枠３１に固定した複数の五徳爪３２とを有している。また、天板２上には、バーナ用開口２１内のコンロ用バーナ４との間の隙間を上方から覆うバーナリング２２が載置されている。更に、コンロ本体１内には、コンロ用バーナ４で囲われる中央空間を通して落下する煮こぼれ汁を受ける汁受１１が設けられている。尚、五徳枠３１は、バーナリング２２及び後述する上段バーナ部５を上方から覆う形状に形成されている。
【００１３】
コンロ用バーナ４は、環状の上段バーナ部５と、上段バーナ部５の下方に配置される、上段バーナ部５と同心の環状の下段バーナ部６とを備えている。上段バーナ部５と下段バーナ部６は、夫々、内周部に径方向内方に向けて開口する炎口５１，６１を周方向の間隔を存して複数有する内炎式バーナで構成されている。以下、上段バーナ部５と下段バーナ部６について詳述する。
【００１４】
上段バーナ部５は、板金製の底壁部５２と、底壁部５２の外周部に対する接合部から上方に立ち上がる板金製の外周壁部５３と、外周壁部５３の上端部に径方向内方に張り出すように固定される鋳物製の上壁部５４と、上壁部５４と底壁部５２との間の隙間を閉塞するようにして底壁部５２に着脱自在に載置される内周部のバーナヘッド５５とで構成されている。バーナヘッド５５には、その下面から上方に凹入する炎口５１となる溝が周方向の間隔を存して複数形成されている。そして、バーナヘッド５５を底壁部５２に載置することで、溝の下面が底壁部５２により閉塞され、底壁部５２とバーナヘッド５５との間に炎口５１が画成されるようにしている。尚、図３に示す如く、炎口５１は、周方向一方への傾き角を持って径方向内方に開口している。これにより、上段バーナ部５の燃焼炎が周方向一方に旋回し、調理容器の加熱効率が向上する。
【００１５】
下段バーナ部６は、内周側に上方に立ち上がって径方向内方に張り出すフランジ部６２ａが形成された板金製の底壁部６２と、底壁部６２の外周部に対する接合部から上方に立ち上がって径方向内方にのびるフランジ部６３ａが形成された板金製の上壁部６３とで構成されている。そして、底壁部６２のフランジ部６２ａと上壁部６３のフランジ部６３ａとを接合すると共に、底壁部６２のフランジ部６２ａと上壁部６３のフランジ部６３ａとに、下方に凸のビード６２ｂと上方に凸のビード６３ｂとを周方向に位置をずらして複数形成し、これらビード６２ｂ，６３ｂ内の空隙で炎口６１を構成している。尚、図４に示す如く、炎口６１も、上段バーナ部５の炎口５１と同様に周方向一方への傾き角を持って径方向内方に開口しており、下段バーナ部６の燃焼炎も周方向一方に旋回する。
【００１６】
上段バーナ５と下段バーナ部６には図外の各別の混合管を介して混合気が供給される。そして、図示省略した火力調節用の操作子の操作で、下段バーナ部６のみを最小火力で燃焼させるとろ火から下段バーナ部６と上段バーナ部５を夫々最大火力で燃焼させる強火までの範囲でコンロ用バーナ４の火力調節を行うようにしている。尚、とろ火での調理容器の加熱量を可及的に減少できるように、下段バーナ部６の最小火力は上段バーナ部５の最小火力より小さく設定されている。更に、下段バーナ部６に近い汁受１１の加熱を抑制して、汁受１１への煮こぼれ汁の焼き付きを防止できるように、下段バーナ部６の最大火力も上段バーナ部５の最大火力より小さく設定されている。
【００１７】
ところで、下段バーナ部６は手が届きにくく清掃しづらい。そのため、下段バーナ部６の炎口６１の煮こぼれ汁による目詰まりを防止する上で、調理容器の底面を伝って滴下する煮こぼれ汁が下段バーナ部６の炎口６１に付着することを防止できるようにすることが望まれる。
【００１８】
そこで、本実施形態では、上段バーナ部５の底壁部５２の内径Ｄ１を、下段バーナ部６の炎口６１が開口する内周部の径Ｄ２以下にしている。これによれば、下段バーナ部６の炎口６１が開口する内周部は、上方から見て上段バーナ部５の底壁部５２の下に隠れる。そのため、調理容器の底面を伝って滴下する煮こぼれ汁が下段バーナ部６の炎口６１に付着することを防止できる。
【００１９】
また、本実施形態では、上段バーナ部５の底壁部５２の内周縁に下方にのびる環状の庇部５２ａを設けている。これによれば、上段バーナ部５の底壁部５２に落下した煮こぼれ汁が底壁部５２の下面に回り込むことを庇部５２ａで防止できる。従って、煮こぼれ汁が上段バーナ部５の底壁部５２の下面に回り込んで下段バーナ部６の炎口６１に落下付着することを防止できる。尚、庇部５２ａは、下方に向かって径方向内方に若干傾斜しており、庇部５２ａの下端の径が上段バーナ部５の底壁部５２の内径Ｄ１となる。
【００２０】
また、本実施形態では、下段バーナ部６の炎口６１を径方向内方に向けて下方に傾斜させている。これによれば、下段バーナ部６の炎口６１に仮に煮こぼれ汁が落下しても、炎口６１の内部に煮こぼれ汁は浸入せず、炎口６１が目詰まりしにくくなる。また、下段バーナ部６の炎口６１の下方への傾斜により、下段バーナ部６の燃焼炎が上段バーナ部５から離れた位置に形成されるようになり、下段バーナ部６の燃焼炎と上段バーナ部５の燃焼炎との干渉による燃焼性の悪化を防止できる。更に、上記庇部５２ａを設ければ、上段バーナ部５と下段バーナ部６との間の空隙を経由して下段バーナ部６に供給される燃焼用二次空気に下向きの方向成分が与えられるため、下段バーナ部６の燃焼炎がより下向きとなって、下段バーナ部６の燃焼炎と上段バーナ部５の燃焼炎との干渉防止の確実性が向上する。
【００２１】
尚、上記の如く下段バーナ部６の炎口６１への煮こぼれ汁の付着は防止できるが、上段バーナ部５の炎口５１への煮こぼれ汁の付着は防止できない。然し、本実施形態においては、バーナヘッド５５が上段バーナ部５の底壁部５２に着脱自在に載置されているため、バーナヘッド５５を取外すことで、炎口５１に付着した煮こぼれ汁を容易に除去でき、清掃性が悪化することはない。
【００２２】
以上、本発明の実施形態について図面を参照して説明したが、本発明はこれに限定されない。例えば、上記実施形態では、上段バーナ部５の底壁部５２を板金製としているが、これを鋳物製とすることも可能である。この場合、底壁部５２の上面内周部に環状壁を立設し、この環状壁の上面に着座するようにバーナヘッド５５を設けると共に、環状壁に、その上面から下方に凹入する炎口５１となる溝を周方向の間隔を存して複数形成し、これら溝の上面をバーナヘッド５５により閉塞することで、底壁部５２とバーナヘッド５５との間に炎口を画成してもよい。また、上記実施形態では、上段バーナ部５の上壁部５４をバーナヘッド５５と別体としているが、上壁部５４をバーナヘッド５５と一体化することも可能である。
【符号の説明】
【００２３】
４…コンロ用バーナ、５…上段バーナ部、５１…炎口、５２…底壁部、５２ａ…庇部、５５…バーナヘッド、６…下段バーナ部、６１…炎口。
【図１】
2020094714.tif 000003
【図２】
2020094714.tif 000004
【図３】
2020094714.tif 000005
【図４】
2020094714.tif 000006